(57)【要約】【課題】エプロンの取付け，取外しが容易で、ガタつきが生じることのない浴槽エプロンの固定構造を提供する。【解決手段】浴槽１のフランジ１ａの前垂部１ｂと、ストッパー３間に、エプロン２の上端２ａを差込んで固定する浴槽エプロン固定構造において、ストッパー３は、浴槽フランジ１ａの下面に台座６を取付け、台座６にネジ７を介して固定される取付片３ａと、この取付片３ａから浴槽１の前垂部１ｂの下端よりも下方へ延びる垂下片３ｂと、垂下片３ｂの下端でＵ字状の屈曲部３ｃを形成して上方へ延びるエプロン当接片３ｄを有し、エプロン当接片３ｄの上端には、エプロン２の上端２ａが当接して上方への移動を止める規制突片３ｅが形成されている。【選択図】                図５
2004148012.tif 000002
【特許請求の範囲】
【請求項１】
浴槽フランジの前垂部とストッパー間に、エプロンの上端を差込んで固定する浴槽エプロン固定構造において、
前記ストッパーは、前記浴槽フランジの下面に取付けられる取付片と、該取付片から前記前垂部の下端よりも下方へ延びる垂下片と、該垂下片の下端でＵ字状の屈曲部を形成して上方へ延びるエプロン当接片を有し、ステンレス鋼のバネ板材で構成されていることを特徴とする浴槽エプロン固定構造。
【請求項２】
前記ストッパーの取付片には、前記浴槽フランジの前垂部との間隔を調整してストッパーをネジ固定できるように、ネジ用の長孔が貫通形成されていることを特徴とする請求項１に記載の浴槽エプロン固定構造。
【請求項３】
前記浴槽フランジの下面に台座を取付け、該台座に前記ストッパーをネジで取付けたことを特徴とする請求項１または請求項２に記載の浴槽エプロン固定構造。
【請求項４】
前記ストッパーのエプロン当接片の上端に、前記エプロンの上端が当接して該エプロンの上方への移動を止める規制突片が形成されていることを特徴とする請求項１または請求項２または請求項３に記載の浴槽エプロン固定構造。
【請求項５】
前記ストッパーには、前記エプロン当接片が前記垂下片側へ押圧された時に、該エプロン当接片の垂下片側への移動を規制する当止片が形成されていることを特徴とする請求項１または請求項２または請求項３に記載の浴槽エプロン固定構造。
【請求項６】
前記ストッパーのエプロン当接片が、前記垂下片側へ押圧された時に、該エプロン当接片を前記台座に当接させて、垂下片側への移動を規制するように構成したことを特徴とする請求項３または請求項４に記載の浴槽エプロン固定構造。
【発明の詳細な説明】
【０００１】
【発明の属する技術分野】
この発明は、浴槽にエプロンを固定する浴槽エプロンの固定構造に関するものである。
【０００２】
【従来の技術】
従来、図８に示すように、浴槽１の上端に外側へ水平に延びてフランジ１ａが形成され、このフランジ１ａの先端に垂下状に前垂部１ｂが一体形成されており、フランジ１ａの下面には、接着剤を介してＬ字状のストッパー５１を設けておき、このストッパー５１と前垂部１ｂ間に、エプロン２の上端を下方より差込んで、エプロン２の上端を浴槽１に固定している（例えば、特許文献１参照。）。
【０００３】
【特許文献１】
特開２００２−３４８１５号公報
【０００４】
【発明が解決しようとする課題】
従来では、エプロン２を外す際に、図９に示すように、エプロン２の上端がストッパー５１に押し付けられ、無理な力が生じて、ストッパー５１が外れ易いとともに、エプロン２を取外し難いという問題点があった。
なお、前垂部１ｂとストッパー５１の間隔が広いと、エプロン２の上端を嵌め込んだ時に、ガタつきが生じてしまうという問題点があり、かといって、前垂部１ｂとストッパー５１の間隔を狭くすると、エプロン２の上端を差込み難くなるという欠点があった。
【０００５】
【課題を解決するための手段】
本発明は、上記従来の問題点に鑑み案出したものであって、エプロンを差込み固定し易く、しかも外し易く、またストッパーが外れることのない浴槽エプロンの固定構造を提供せんことを目的とし、その第１の要旨は、浴槽フランジの前垂部とストッパー間に、エプロンの上端を差込んで固定する浴槽エプロン固定構造において、前記ストッパーは、前記浴槽フランジの下面に取付けられる取付片と、該取付片から前記前垂部の下端よりも下方へ延びる垂下片と、該垂下片の下端でＵ字状の屈曲部を形成して上方へ延びるエプロン当接片を有し、ステンレス鋼のバネ板材で構成されていることである。
【０００６】
また第２の要旨は、前記ストッパーの取付片には、前記浴槽フランジの前垂部との間隔を調整してストッパーをネジ固定できるように、ネジ用の長孔が貫通形成されていることである。
また第３の要旨は、前記浴槽フランジの下面に台座を取付け、該台座に前記ストッパーをネジで取付けたことである。
また第４の要旨は、前記ストッパーのエプロン当接片の上端に、前記エプロンの上端が当接して該エプロンの上方への移動を止める規制突片が形成されていることである。
【０００７】
また第５の要旨は、前記ストッパーには、前記エプロン当接片が前記垂下片側へ押圧された時に、該エプロン当接片の垂下片側への移動を規制する当止片が形成されていることである。
また第６の要旨は、前記ストッパーのエプロン当接片が、前記垂下片側へ押圧された時に、該エプロン当接片を前記台座に当接させて、垂下片側への移動を規制するように構成したことである。
【０００８】
【発明の実施の形態】
以下、本発明の実施例を図面に基づいて説明する。
図１は、浴槽エプロンの上端を差込む時の断面構成図であり、浴槽１の上端には外側へ略水平に突出してフランジ１ａが一体形成され、フランジ１ａの先端には垂下状に前垂部１ｂが一体形成されている。
なお、フランジ１ａの下面には、接着剤４を介してストッパー３が固定されている。
【０００９】
このストッパー３は、図２の拡大斜視図で示すような構造となっており、ステンレス鋼のバネ板材で一体形成されたものである。
即ち、ストッパー３は、略水平状の取付片３ａから垂下状に下方へ延びる垂下片３ｂが一体形成されており、この垂下片３ｂは、浴槽の前垂部１ｂの下端よりも更に下方側へ延びる寸法に設定されている。垂下片３ｂの下端には、Ｕ字状に曲げられた屈曲部３ｃが形成されており、この屈曲部３ｃから上方へ向かって一体状にエプロン当接片３ｄが形成されている。
なお、取付片３ａには、２個のネジ用長孔５，５が貫通形成されており、このネジ用長孔５は、エプロン当接片３ｄ側に向かって長く形成されている。
【００１０】
なお、図１では、ネジ用長孔５を形成していない取付片３ａを有するストッパー３が、接着剤４でフランジ１ａの下面に固定されている。
このようにストッパー３を固定しておき、ストッパー３のエプロン当接片３ｄと浴槽の前垂部１ｂ間に、エプロン２の上端水平片２ａを下方側より差込んでいく時に、屈曲部３ｃにガイドされて、良好にエプロンの上端水平片２ａを上昇させてゆくことができ、この上昇時に、エプロン当接片３ｄがバネ作用により垂下片３ｂ側へ徐々に押圧されてゆき、エプロン２の上端水平片２ａは、浴槽の前垂部１ｂとエプロン当接片３ｄ間に挟まれ、ガタつくことなく良好な固定状態となる。
即ち、エプロン２の取付状態では、エプロン当接片３ｄがバネ作用により、エプロンの上端水平片２ａを前垂部１ｂ側に押圧するために、ガタつきが生じないものとなる。
また、エプロン２を取外す際にも、エプロン２を下方側へ移動させて、容易にエプロン２を取外すことができ、ストッパー３には無理な力が作用しないために、ストッパー３が外れることがない。
【００１１】
次に、図３では、浴槽のフランジ１ａの下面に、接着剤４を介して台座６を取付け、ネジ用長孔５，５内にそれぞれネジ７を通し、ネジ７を台座６に螺合させて、この台座６の下面に、ストッパー３の取付片３ａをネジ７を介し取付けたものである。
この場合に、ネジ用長孔５を介して、ストッパー３と前垂部１ｂ間の間隔が適当になるように調節することが可能であり、ストッパー３のエプロン当接片３ｄと前垂部１ｂの間隔を良好な間隔に調整して、ストッパー３を取付けることができる。
なお、台座６を用いることにより、フランジ１ａの厚みが十分ではなく、ネジ７が使用できない場合でも、良好に台座６を介してネジ７でストッパー３を強固に取付けできるものである。
【００１２】
図３の構造では、エプロン２の上端水平片２ａを、屈曲部３ｃにガイドさせて良好にエプロン当接片３ｄに当接させ、上方へ差込んでゆくことができ、この時に、エプロン当接片３ｄが台座６側（垂下片３ｂ側）へ押圧されるが、エプロン当接片３ｄは台座６の側面に当接することにより、垂下片３ｂ側への移動が規制され、エプロン当接片３ｄの無理な曲がりが防がれることとなる。
従って、ストッパー３が損傷を受けることがなく、ストッパー３の耐久性を高めることができる。
【００１３】
次に、図４で示すストッパー３は、エプロン当接片３ｄの上端に、前垂部１ｂ側へ向かって略水平状に突出する規制突片３ｅを一体形成したものである。
このように規制突片３ｅを備えたストッパー３においては、エプロン２の上端水平片２ａが規制突片３ｅに当接して、エプロン２の上昇を止めることができ、エプロン２が上側へ移動することを規制突片３ｅで規制して、エプロン２のガタつきを少なくできるものとなる。
このような規制突片３ｅを備えたストッパー３を、図５のように、ネジ７を介して台座６に固定して使用することもでき、ネジ７で強固にストッパー３を取付けることができるものである。
【００１４】
次に、図６に示すストッパー３においては、エプロン当接片３ｄの上端に、垂下片３ｂ側へ略水平に折曲して当止片３ｆが一体形成されたものである。
当止片３ｆを備えたストッパー３においては、エプロンを差込む時に、エプロン当接片３ｄが垂下片３ｂ側に押圧されると、当止片３ｆの先端が垂下片３ｂに当接して、エプロン当接片３ｄの垂下片３ｂ側への移動を良好に規制することができ、エプロン当接片３ｄが無理に曲げられることがなく、ストッパー３の耐久性を高めることができるものとなる。
【００１５】
次に、図７に示すストッパー３においては、エプロン当接片３ｄの上端から下方側へ向かって垂下状に垂下当接片３ｇを一体形成したものであり、垂下当接片３ｇは、前垂部１ｂよりも下方へ延びて垂下されており、エプロン２の上端水平片２ａを垂下当接片３ｇに当接させ、この垂下当接片３ｇでガイドさせながら、垂下当接片３ｇに沿ってエプロン２を上昇させてゆくことができるものとなる。
【００１６】
【発明の効果】
本発明は、浴槽フランジの前垂部とストッパー間に、エプロンの上端を差込んで固定する浴槽エプロン固定構造において、ストッパーは、浴槽フランジの下面に取付けられる取付片と、取付片から前垂部の下端よりも下方へ延びる垂下片と、垂下片の下端でＵ字状の屈曲部を形成して上方へ延びるエプロン当接片を有し、ステンレス鋼のバネ板材で構成されていることにより、屈曲部を設けることで、エプロン当接片が良好なバネ作用を成して、エプロンの上端に当接し、エプロンの上端をエプロン当接片と浴槽の前垂部間に挟み込んで、良好に固定することができ、エプロンをガタつくことなく、良好に固定できるものとなり、また屈曲部に沿ってガイドさせながら、良好にエプロンを差込んで取付けることができ、取付作業が容易なものとなる。
【００１７】
また、ストッパーの取付片には、浴槽フランジの前垂部との間隔を調整して、ストッパーをネジ固定できるように、ネジ用の長孔が貫通形成されていることにより、ネジ用長孔を介してストッパーの取付位置、即ち、浴槽フランジの前垂部とストッパーのエプロン当接片の間隔を良好に調節して、ストッパーを取付けることができるものとなる。
【００１８】
また、浴槽フランジの下面に台座を取付け、台座にストッパーをネジで取付けたことにより、浴槽に直接ネジ固定できない場合でも、台座を介することにより強固にストッパーをネジで取付けることができるものとなる。
【００１９】
また、ストッパーのエプロン当接片の上端に、エプロンの上端が当接してエプロンの上方への移動を止める規制突片が形成されていることにより、規制突片を介しエプロンが上方向にズレるのを良好に防止できるものとなる。
【００２０】
また、ストッパーには、エプロン当接片が垂下片側へ押圧された時に、エプロン当接片の垂下片側への移動を規制する当止片が形成されていることにより、エプロン当接片が押圧力を受けて曲げられた時に、当止片により、無理な曲がりが防止され、ストッパーが破損することなく、ストッパーの耐久性が高められるものとなる。
【００２１】
また、ストッパーのエプロン当接片が、垂下片側へ押圧された時に、エプロン当接片を台座に当接させて、垂下片側への移動を規制するように構成したことにより、エプロンを差込んだ時に、エプロン当接片が無理に押圧されると、台座に当接して、それ以上の曲がりが防がれるため、ストッパーの破損が防がれ、ストッパーの耐久性が高められるものとなる。
【図面の簡単な説明】
【図１】ストッパーと浴槽の前垂部間にエプロンの上端を差込んで固定する作用説明図である。
【図２】ストッパーの斜視構成図である。
【図３】台座にネジを用いてストッパーを取付けた状態の断面構成図である。
【図４】規制突片を備えたストッパーの取付状態の断面構成図である。
【図５】規制突片を有するストッパーを台座に取付けた状態の断面構成図である。
【図６】当止片を備えたストッパーの取付状態の断面構成図である。
【図７】垂下当接片を備えたストッパーの取付状態の断面構成図である。
【図８】従来のエプロンの固定状態の断面構成図である。
【図９】従来、エプロンを取外す際に、ストッパーに無理な力が加わる状態の作用説明図である。
【符号の説明】
１    浴槽
１ａ    フランジ
１ｂ    前垂部
２    エプロン
２ａ    上端水平片
３    ストッパー
３ａ    取付片
３ｂ    垂下片
３ｃ    屈曲部
３ｄ    エプロン当接片
３ｅ    規制突片
３ｆ    当止片
３ｇ    垂下当接片
４    接着剤
５    ネジ用長孔
６    台座
７    ネジ
【図１】
2004148012.tif 000003
【図２】
2004148012.tif 000004
【図３】
2004148012.tif 000005
【図４】
2004148012.tif 000006
【図５】
2004148012.tif 000007
【図６】
2004148012.tif 000008
【図７】
2004148012.tif 000009
【図８】
2004148012.tif 000010
【図９】
2004148012.tif 000011